(57)【要約】クロージャーシェル（１０）は端壁（１４）と側壁（１６）を有する。側壁は境界のネックのネジ山形態とかみ合うための内側のネジ山（１８）を有する。クロージャーシェルは側壁から放射状に延在密封するフラップ（３２）と端壁から延在する環状の垂直な要素（４４）を有する。垂直な要素（４４）は容器のネックの密封する終結の直径よりも大きい内径を有する。密封するフラップ（３２）は端壁（１４）に対して密封する終結によって軸方向に押圧されるように、及び垂直な要素（４４）に対して密封する終結によって放射状に押圧されるようにサイズ化され配置される。弾力性要素（４５）は、ぴったりした放射状の密封をもたらす密封するフラップ（３２）に対して垂直な要素（４４）を放射状に押圧するように垂直な要素（４４）と側壁（１６）との間に形成される。
2004501841.tif 000002
【特許請求の範囲】
【請求項１】
端壁及び従属する側壁と；
前記側壁から内側に向かって延在し、放射状に延在密封するフラップと；
クロージャーが容器に適合している場合、前記端壁から延在し、前記密封するフラップによって放射状にかみ合うことができる環状の垂直な要素と；並びに
クロージャーが容器に適合している場合、前記密封するフラップに対して前記垂直な要素を弾力的に押圧するように前記垂直な要素と前記側壁との間に配置された弾力的な要素
を含有することを特徴とするクロージャー。
【請求項２】
前記密封するフラップは、緩和状態において、前記端壁から離れる方向で、前記側壁の表面から斜角で放射状に延在することを特徴とする請求項１に記載のクロージャー。
【請求項３】
前記密封するフラップは、緩和状態において、鈍角で共に放射状に形成される基部及び末端部分を有することを特徴とする請求項１に記載のクロージャー。
【請求項４】
前記弾力的な要素は放射方向から鋭角で配置された要素を有する環状の格子状構造を含むことを特徴とする請求項１に記載のクロージャー。
【請求項５】
前記クロージャーは垂直な中心線を有し、前記基部が前記末端部分に接続されるポイント間の第一の放射状の距離は、前記垂直の要素と前記中心線の内面間の第二の放射状の距離未満であることを特徴とする請求項３に記載のクロージャー。
【請求項６】
前記弾力的な要素は、前記垂直な要素の外面に接続する頂点を有し、前記側壁の内面に接続される脚を有して配置された複数の放射状に導かれたＶ字型のバネ要素を含むことを特徴とする請求項１に記載のクロージャー。
【請求項７】
容器を密封するシステムであって、
密封する終結と外面のネジ山形態を有する容器のネックと；
端壁及び前記ネックの前記ネジ山形態にかみ合うための内側のネジ山を有する側壁を有するクロージャーシェルと；
放射状に延在密封するフラップ及び前記容器のネックの終結の直径よりも長い内径を有し、前記端壁から延在する環状の垂直な要素を有する前記クロージャーシェルと；
前記端壁に対して前記密封する終結によって軸方向に押圧され、前記垂直な要素に対して前記密封する終結によって放射状に押圧されてサイズ化され配置される前記密封するフラップと；並びに
前記密封するフラップに対して前記垂直な要素を放射状に押圧するように前記垂直な要素と前記側壁との間に形成された弾力的な要素
を含有することを特徴とするシステム。
【請求項８】
前記密封するフラップは、緩和状態において、前記端壁から離れる方向で、前記側壁の表面から斜角で放射状に延在することを特徴とする請求項７に記載のシステム。
【請求項９】
前記密封するフラップは、緩和状態において、鈍角で共に放射状に形成される基部及び末端部分を有することを特徴とする請求項７に記載のシステム。
【請求項１０】
前記弾力的な要素は放射方向から鋭角で配置された要素を有する環状の格子状構造を含むことを特徴とする請求項７に記載のシステム。
【請求項１１】
前記クロージャーは垂直な中心線を有し、前記基部が前記末端部分及び前記中心線に接続されるポイント間の第一の放射状の距離は、前記垂直の要素と前記中心線の内面間の第二の放射状の距離未満であることを特徴とする請求項９に記載のシステム。
【請求項１２】
前記弾力的な要素は、前記垂直な要素の外面に接続する頂点を有し、前記側壁の内面に接続される脚を有して配置された複数の放射状に導かれたＶ字型のバネ要素を含むことを特徴とする請求項７に記載のシステム。
【発明の詳細な説明】
【０００１】
本発明は、一般的に関連する容器と使用するためのプラスチッククロージャーに関し、より詳細には柔軟な密封するフラップ、及び容器の終結に対する密封するフラップを密封するように協働する環状の圧力ビーズ又は壁を含むライナーレスクロージャーに関する。
【０００２】
容器のための成形されたプラスチッククロージャーは、自動車オイルなどの非食料品での使用と同様に、炭酸飲料及び非炭酸飲料、調味料、及び他の食料品で使用するためなどの容器の中身を閉じて密封するために一般的である。様々なプラスチッククロージャーの構成が長年に渡って周知であるが、かかるクロージャーの迅速な製造と開発を効果的で容易にする所望の密封のために、特別な設計の考慮がなされるべきである。
【０００３】
所望の密封効率を達成するために、多くの以前から周知のクロージャー構造は、比較的固い外部のプラスチックシェル及び比較的柔軟で柔らかい内部の密封するライナーを含有する性質の合成物である。一般公開の米国特許第４，３４３，７５４号明細書、米国特許第４，３７８，８９３号明細書、米国特許第４，４０７，４２２号明細書、及び米国特許第４，４９７，７９５号明細書と一致する、例えば形成されたかかるライナー付けクロージャーは、炭酸入りの内容物又は加圧された内容物を有する容器を含有する、容器の使用において効果的であると照明された。所望の密封する性能は、比較的硬く強い、キャップの端壁部分に対して位置するインサイチュー形成されたライナーを備えた、ネジ状の外部のクロージャーキャップを含むクロージャー構成を形態化することによって達成される。前述の特許と一致するクロージャーは、所謂トップ／サイドシールを形成するために形態化され、ライナーは一般的に容器の側面を外側に面することと同様に、関連する容器の面を上方に面して両者を密封してかみ合わすことができる。
【０００４】
一方で、ライナーレスクロージャーは、ライナー付けクロージャーと比較して、簡素化した製造と原料コストの削減の利点を提供する。しかしながら、以前から周知のライナーレスクロージャーでは、ライナー付けクロージャーと同様の密封効果は証明されない。ライナーレスクロージャーにおいて、密封面はクロージャーの他の特徴として、同一物質から形成される。高度に効果的な密封を達成するのに必要な弾性的な特徴は、勝手に開封することの出来ない特徴とネジの構造的要求などのクロージャーキャップの他の特徴の設計要求によって解決される。したがって、特に、容器の内容物が加圧されている場合、クロージャーのための物質を選択することは調整策である。
【０００５】
ライナーレスクロージャーは、例えば、米国特許第５，２５９，５２２号明細書、４，５４０，１０２号明細書、４，０６１，２４０号明細書、５，７８２，３６９号明細書、５，６０９，２６３号明細書、４，１９６，８１８号明細書、３，２０３，５７１号明細書、４，２７６，９８９号明細書、４，５９８，８３５号明細書、及び４，４５０，９７３号明細書に開示される。
【０００６】
不利な条件において、長期密封を達成する能力及び長期密封を維持する能力は非常に重要である。かかる不利な条件は、“ドーム形成”（つまり、端壁をドームの外側にもたらすクロージャー端壁物質のクリープ）と“緩和”（つまり、倉庫で積み重ねられたボトル上部の負荷）を含む。
【０００７】
本発明は、不利な条件において効果を維持する、長期密封効果が維持された改良されたライナーレスクロージャーの提供が望ましいことが認識される。
【０００８】
本発明は、改良されて長期密封を備えるライナーレスクロージャーを提供する。クロージャーは端壁を有するシェルと従属する側壁又は縁を含む。シェル内において、側面の密封の突出又は密封するフラップは、側壁から放射状に内部に延在する。垂直の突出はシェルの端壁から軸方向に延在する。放射状で弾力性の構造は端壁で、垂直の突出とシェルの側壁との間で形成される。
【０００９】
クロージャーシェルがボトルネックなどの容器の終結に適合し固定される場合、フリップは垂直な突出に対して曲がるようにボトルの終結によってゆがむ。フリップは容器の終結の側壁、容器の終結の半径範囲のまわり、及び容器の終結の上部表面に対して密封するために十分に長い。容器の終結の上部表面はフラップをクロージャーシェルの端壁まで軸方向に押し、容器の終結の側面はフラップを垂直の突出に対して放射状に押圧する。フラップは、様々な密封する表面に対してフラップが良好に一致することを可能にする、一つ以上の曲がりを有する。
【００１０】
フラップは容器の終結の側面と垂直の突出との間に留められる。放射状の弾力的な構造は格子状のＶカット構造でありえ、フラップに対する垂直の突出、及び容器の終結の側面に対するフラップを弾力的に促す複数のバネの役割をするために形成される。たとえクロージャーの端壁がドーム形成又は緩和するとしても、Ｖカット構造のバネ作用は、容器の終結の側面と垂直の突出との間に密封されたフラップを保持するために必要な放射状の力を維持するだろう。
【００１１】
本発明と一致して、他の弾力的な構造は格子状のＶカット構造に代わって使用できる。例えば、十分に弾力性ある固体の環状の要素は、フラップに対する垂直の突出を、放射状に弾力的に促すために使用できた。
【００１２】
本発明の多数の他の利点及び特徴は、本発明の下記の詳細と実施態様、請求項及び添付図から容易に明らかとなるだろう。
【００１３】
かかる発明は様々な形態の実施態様の余地がある一方で、図面が示され、本開示が本発明の原理の例証と見なされ、本発明を特定の例証された実施態様に限定するようには意図されないという理解におき、本発明の特定の実施態様で詳細に記載されるだろう。
【００１４】
図１はボトルなどの容器に対する備品としてのクロージャー１０を例示する。ここまでの記載においてボトルに適用されると発明は記述しているが、様々な容器（その全部は本発明によって包含される）に本発明を適用することができるかもしれないことが理解される。クロージャーの例示された実施態様は、炭酸飲料を含有するボトルで使用するために特に形態化される。
【００１５】
クロージャー１０は、好ましくはポリプロピレンから形成され、円形の端壁１４と従属する側壁又は縁１６を含む。縁１６はボトルネックのネジとかみ合うためにネジ山１８を含む。縁１６は、その縁の端にピルファーバンド（ｐｉｌｆｅｒ　ｂａｎｄ）２０を含む。ピルファーバンド２０は、周辺に間隔が置かれて比較的柔軟なボトルとかみ合う複数の突出２４が内側に広がる、環状のバンド部分２２を含む。ピルファーバンドは、ここにすべて参照として組み込まれる、米国特許第５，２５９，５２２号明細書、５，２０５，４２３６号明細書、及び５，８００，７６４号明細書により詳細に記載されている。
【００１６】
図２に例示されるように、本発明と一致して、クロージャー１０は縁１４から放射状で内側に向かって延在する、環状の密封するフラップ３２を含む。密封するフラップ３２は、側壁１６から放射状で内側に向かって延在する基部３６、及び基部から放射状で内側に向かって延在する末端部分３８を含む。基部３６は鋭角Ａで側壁１６の表面から延在する。基部３６と末端部分３８は、ほぼ同じ厚さで鈍角Ｂの曲がり３７を共に形成する。
【００１７】
環状の垂直の突出又は垂直の要素４４は、端壁１４から軸方向で内側に向かって延在する。垂直の要素４４は、クロージャーがボトルにしっかりと適合する場合、ボトルの終結の外面に対して密封するフラップ３２が留まるようなサイズの内径を有する。
【００１８】
図３で例証するように、垂直の要素４４は、環状の弾力性要素４５などの放射状の柔軟な構造によって側壁１６に接続される。好ましい実施態様において、弾力性要素４５は格子状のＶカット構造を形成する。しかしながら、弾力性物質から形成される実質的に固体の環状要素などの他のタイプの弾力性要素が可能である。
【００１９】
好ましい実施態様において、垂直の要素４４は、複数の放射状に導かれるＶ字型要素又はトラス５０によって周辺のまわりに断続的なポイント４６−１、４６−２、４６−３、．．．４６−ｎで接続される。ポイント４６−１、４６−２、４６−３、．．．４６−ｎはＶ字型要素の頂点５０ａである。トラス５０は、側壁１６の内側の周辺のまわりで断続的に間隔が置かれたポイント５２−１，５２−２，５２−３、．．．５２−ｎのトラスの末端５０ｃにおいて側壁１６に対してお互いに接続される脚５０ｂを含む。脚５０ｂは放射状方向Ｒからの鋭角Ｃで配置される。
【００２０】
図４は終結Ｆを有するボトルネック１００に適合するクロージャーキャップ１０を例示する。フラップ３２は端壁１４に対して終結Ｆの上部表面Ｆ１によって押圧されている。終結Ｆの側面Ｆ２は、フラップ３２によって垂直な要素４４に対して放射状に押圧される。
【００２１】
フラップ３２の“緩和”状態と垂直な要素４４が見せかけで例示されている。“緩和”によって、フラップ３２はクロージャーに向かうボトルの終結からまだ接触していないことを意味する。緩和状態において、クロージャーの中心線ＣＬと曲がり３７との間の距離Ｙは、垂直な要素４４の内部エッジと中心線ＣＬとの間の距離Ｘよりも短くなるように選択される。この関係は、クロージャーが終結Ｆにしっかりと適合された後にいったんそらされた、フラップの曲がった型に適応する。
【００２２】
シールフラップ３２は、終結上部Ｆ１と端壁１４との間、終結側Ｆ２と垂直な要素４４との間である、二つの位置でクロージャーと終結との間で密封する。これは、端壁１４の与えられた歪みを効果的に密封することを確実にする。ボトル１００の外側の終結Ｆ２に対してフラップ３２を押圧する弾力性要素４５によって作用された弾力的な放射状の力のために、たとえクロージャーの端壁１４が歪んだ、つまりドーム形成又は緩和したとしても、効果的な密封は維持される。
【００２３】
前述の記載から、多くの変更と修正は本発明の趣旨と範囲を逸脱しない限り効果的であることが分かる。ここに例示された特定の装置に関する制限は意図されないか又は暗示されるべきでないことが理解される。当然のことであるが、付随の請求項すべてによって請求項の範囲内に包含されるような修正を含むように意図される。
【図面の簡単な説明】
【図１】
本発明のクロージャーの断片的な斜視図である。
【図２】
図１の断片的な拡大図である。
【図３】
明らかにするために一部分を取り除いた図１のクロージャーの底部図である。
【図４】
容器の終結に密封された図１の拡大された断面図である。
【国際公開パンフレット】
2004501841.tif 000003
2004501841.tif 000004
2004501841.tif 000005
2004501841.tif 000006
2004501841.tif 000007
2004501841.tif 000008
2004501841.tif 000009
2004501841.tif 000010
2004501841.tif 000011
2004501841.tif 000012
2004501841.tif 000013
2004501841.tif 000014
2004501841.tif 000015
【国際公開パンフレット（コレクトバージョン）】
2004501841.tif 000016
2004501841.tif 000017
【国際調査報告】
2004501841.tif 000018
2004501841.tif 000019
2004501841.tif 000020